(57)【要約】【課題】情報を加工する際の加工操作性をよくすることができる情報処理装置を提供する。【解決手段】加工制御部は、第一表示領域に表示されている情報に対する加工操作開始指示の入力に基づいて、第一表示領域に表示されている情報を第二表示領域に表示する。【選択図】図１
2014235630.tif 000002
【特許請求の範囲】
【請求項１】
第一表示領域と第二表示領域の少なくとも２つの表示領域と、
前記第一表示領域に表示されている情報に対する加工操作開始指示の入力に基づいて、前記第一表示領域に表示されている情報を前記第二表示領域に表示する加工制御部と、
を備えることを特徴とする情報処理装置。
【請求項２】
前記第二表示領域が操作入力機能を備え、
前記加工制御部は、前記第二表示領域において表示されている情報についての前記操作入力機能で入力した加工指示の入力に基づいて、当該加工指示された情報を一時記憶して前記第一表示領域の所定の位置に出力する
ことを特徴とする請求項１に記載の情報処理装置。
【請求項３】
前記加工操作開始指示の入力前において前記第二表示領域にはソフトウェアキーボードの情報が表示されており、
前記加工制御部は、前記加工操作開始指示の入力に基づいて、前記ソフトウェアキーボードとともに前記第一表示領域に表示されている情報の一部または全部を前記第二表示領域に表示する
ことを特徴とする請求項１または請求項２に記載の情報処理装置。
【請求項４】
前記加工操作開始指示の入力に基づいて、前記ソフトウェアキーボードの一部の機能を除いたキーからの入力を無効化する制御を行うキーボード制御部と、
を備えることを特徴とする請求項３に記載の情報処理装置。
【請求項５】
前記ソフトウェアキーボードの前記一部の機能に対する操作、または、前記第一表示領域または前記第二表示領域の操作入力機能に対する操作、に基づいてメニュー画面を表示する
ことを特徴とする請求項３または請求項４に記載の情報処理装置。
【請求項６】
前記加工制御部が前記第二表示領域に表示する情報は、前記第一表示領域に表示されている情報のうち、ユーザの指定に基づいて決定された一部または全部の情報である
ことを特徴とする請求項１から請求項５の何れか一項に記載の情報処理装置。
【請求項７】
第一出力部を有する第一筐体と、
第二出力部を有する第二筐体と、
前記第一筐体の一辺と前記第二筐体の一辺との間のヒンジ部材と
を備え、
前記加工制御部は、前記ヒンジ部材を軸とした前記第一筐体と前記第二筐体の状態が開状態から閉状態に変化した場合に加工操作開始指示を入力する
ことを特徴とする請求項１から請求項６の何れか一項に記載の情報処理装置。
【請求項８】
第一表示領域に表示されている情報の加工操作開始指示の入力に基づいて、前記第一表示領域に表示されている情報を第二表示領域に表示する
ことを特徴とする情報処理方法。
【請求項９】
情報処理装置のコンピュータを、
第一表示領域に表示されている情報の加工操作開始指示の入力に基づいて、前記第一表示領域に表示されている情報を第二表示領域に表示する加工制御手段、
として機能させることを特徴とするプログラム。
【発明の詳細な説明】
【技術分野】
【０００１】
本発明は、表示領域に表示する情報の表示制御を行う情報処理装置、情報処理方法及びプログラムに関する。
【背景技術】
【０００２】
情報処理装置において、コピー＆ペースト機能などを利用して入力中の文字列を加工する場合、ブラインドタッチ入力などの技術を習得していないユーザの多くは、キーボードと加工する文字との間で視線の移動を繰り返す必要がある。そして、情報処理装置の表示領域が大きくなると、キーボードと加工する文字との距離が離れ視線の移動がより大きくなるため、目が疲れたり、視線を移動させる時間に伴って作業効率が低下したりする場合がある。
特許文献１には、情報処理装置が受信した受信メッセージを第一ディスプレイに表示しつつ、その受信メッセージに対する返信メッセージを作成するためのウィンドウを第二ディスプレイに表示する技術が記載されている。
また、特許文献２には、本体とスライド部で構成されるスライド機構を備える情報処理装置が、スライド部の前面に大型液晶表示部を設けられると共に本体の前面に小型液晶表示部を設けられ、それら２つの画面に情報を表示する技術が記載されている。
【先行技術文献】
【特許文献】
【０００３】
【特許文献１】特開２００７−０８７４０２号公報
【特許文献２】特開２００３−１６９１２０号公報
【発明の概要】
【発明が解決しようとする課題】
【０００４】
この特許文献１に記載されている技術は、受信メッセージを確認しながら返信メッセージを作成することのできる技術であるため、ユーザはこの技術を用いた情報処理装置により返信メッセージをより簡便に作成することができる。
また、特許文献２に記載されている技術を用いた情報処理装置は、スライド機構のスライド部に大型液晶表示部が設けられているため、本体を大型化することなく表示部を大型化することができ、１つの画面では表示が困難なツリー状の情報など、同時に多くの情報を表示することができる。また、特許文献２に記載されている技術を用いた情報処理装置では、同時に多くの情報を表示できるため、１つの画面の場合に比べ、表示画面の「進む」／「戻る」の操作回数を低減することができる。
ところで、このような２つの画面を備えた情報処理装置では、文字などの情報を加工する際の加工操作性をよくする技術が求められていた。
【０００５】
そこでこの発明は、上記の課題を解決することのできる情報処理装置、情報処理方法及びプログラムを提供することを目的としている。
【課題を解決するための手段】
【０００６】
上記目的を達成するために、本発明は、第一表示領域と第二表示領域の少なくとも２つの表示領域と、前記第一表示領域に表示されている情報に対する加工操作開始指示の入力に基づいて、前記第一表示領域に表示されている情報を前記第二表示領域に表示する加工制御部と、を備えることを特徴とする情報処理装置である。
【０００７】
また本発明は、第一表示領域に表示されている情報の加工操作開始指示の入力に基づいて、前記第一表示領域に表示されている情報を第二表示領域に表示することを特徴とする情報処理方法である。
【０００８】
また本発明は、情報処理装置のコンピュータを、第一表示領域に表示されている情報の加工操作開始指示の入力に基づいて、前記第一表示領域に表示されている情報を第二表示領域に表示する加工制御手段、として機能させることを特徴とするプログラムである。
【発明の効果】
【０００９】
本発明によれば、情報を加工する際の加工操作性をよくすることができる。
【図面の簡単な説明】
【００１０】
【図１】本発明の情報処理装置１０の最小構成を示す機能ブロック図である。
【図２】本発明の一実施形態による情報処理装置１０の構成を示す機能ブロック図である。
【図３】本発明の一実施形態による情報処理装置１０の外観を示す図である。
【図４】本発明の一実施形態による情報処理装置１０の加工操作開始指示の入力前における入出力部１１０（１１０ａ、１１０ｂ）の表示例を示す図である。
【図５】本発明の一実施形態による情報処理装置１０の加工操作開始指示の入力後における入出力部１１０の表示例を示す図である。
【図６】本発明の一実施形態による情報処理装置１０の情報の加工時における入出力部１１０の表示例を示す図である。
【図７】本発明の一実施形態による情報処理装置１０の情報の加工時における入出力部１１０の表示例を示す図である。
【図８】本発明の一実施形態による情報処理装置１０の情報の加工時における入出力部１１０の表示例を示す図である。
【図９】本発明の一実施形態による情報処理装置１０の情報の加工状態から情報の入力状態に戻った場合の入出力部１１０の表示例を示す図である。
【図１０】本発明の一実施形態による情報処理装置１０の処理フローの例を示す図である。
【図１１】本発明の一実施形態による情報処理装置１０の第一入出力部１１０ａと第二入出力部１１０ｂの表示する表示領域の他の例を示す図である。
【発明を実施するための形態】
【００１１】
図１は、本発明の情報処理装置１０の最小構成を示す機能ブロック図である。
本発明の情報処理装置１０は、図１で示すように、少なくとも加工制御部１０１と、第一入出力部１１０ａと、第二入出力部１１０ｂの機能部を備える。
ここで、加工制御部１０１は、第一入出力部１１０ａに表示されている情報に対する加工操作開始指示の入力に基づいて、第一入出力部１１０ａに表示されている情報を第二入出力部１１０ｂに表示する機能部である。以下、第一入出力部１１０ａと第二入出力部１１０ｂとを総称して入出力部１１０と呼ぶこととする。
なお、加工制御部１０１の機能部は、例えば情報処理装置１０の制御部（例えばＣＰＵ、Ｃｅｎｔｒａｌ  Ｐｒｏｃｃｅｓｓｉｎｇ  Ｕｎｉｔ）が制御プログラムを実行することにより、情報処理装置１０に構成される。また、第一入出力部１１０ａと第二入出力部１１０ｂは、液晶ディスプレイ、有機ＥＬ（Ｅｌｅｃｔｒｏ−Ｌｕｍｉｎｅｓｃｅｎｃｅ）ディスプレイなどであり、タッチパネルなどの操作入力機能を有していてもよい。
【００１２】
図２は、本発明の一実施形態による情報処理装置１０の構成を示す機能ブロック図である。
加工制御部１０１は、図１を用いて説明した加工制御部１０１と同様の機能部である。
また、第一入出力部１１０ａは、ユーザ操作により入力された文字などの情報を表示する機能部である。また、第一入出力部１１０ａは、タッチパネルなどの操作入力機能を備えている。
また、第二入出力部１１０ｂは、ソフトウェアキーボードや情報の加工を行うための情報を表示する機能部である。また、第二入出力部１１０ｂは、タッチパネルなどの操作入力機能を備えている。
また、キーボード制御部１０２は、加工操作開始指示の入力に基づいて、ソフトウェアキーボードの一部の機能を除いたキーからの入力を無効化する制御を行う機能部である。
また、表示制御部１０３は、第一入出力部１１０ａと第二入出力部１１０ｂに情報を表示する際の種々の表示制御を行う機能部である。
また、情報入力部１０４は、タッチパネルなどの操作入力機能を備える表示領域に対してユーザが行うユーザ操作に応じて、文字などの情報を入力する機能部である。また、情報入力部１０４は、タッチパネルなどの操作入力機能を備える入出力部１１０（１１０ａ、１１０ｂ）に対してユーザが行うユーザ操作に応じて発生する信号が所定の条件を満足するか否かを判定する機能部である。
また、記憶部１１１は、情報処理装置１０の動作に必要な種々の情報を記録する記憶部である。
【００１３】
図３は、本発明の一実施形態による情報処理装置１０の外観を示す図である。
この図で示すように、本実施形態による情報処理装置１０は、第一筐体１１の一辺と第二筐体１２の対応する一辺との間にヒンジ部材２１を備えている。このヒンジ部材２１により、第一筐体１１と第二筐体１２は、ヒンジ部材２１を軸として開閉が可能である。本実施形態においては、情報処理装置１０の入出力部１１０として、長方形の第一入出力部１１０ａと長方形の第二入出力部１１０ｂとを備えているものとする。
【００１４】
図４は、本発明の一実施形態による情報処理装置１０の加工操作開始指示の入力前における入出力部１１０（１１０ａ、１１０ｂ）の表示例を示す図である。
この図で示す入出力部１１０の表示例では、第一入出力部１１０ａの表示する表示領域が第一表示領域であり、第二入出力部１１０ｂの表示する表示領域が第二表示領域であるものとする。
加工操作開始指示の入力前には、第二入出力部１１０ｂは、ソフトウェアキーボードを表示している。この第二入出力部１１０ｂはタッチパネルなどの操作入力機能を備えており、ソフトウェアキーボードに対してユーザがタップするなどの情報入力操作を行うことにより、情報処理装置１０に文字などの情報を入力することができる。そして、第一入出力部１１０ａは、その入力された情報を表示制御部１０３の表示制御に基づいて表示する。
【００１５】
図５は、本発明の一実施形態による情報処理装置１０の加工操作開始指示の入力後における入出力部１１０の表示例を示す図である。
この図は、例えば「ｓｈｉｆｔ」キーの長押しなどの加工操作開始指示を示す操作をユーザが行った場合に、入出力部１１０が表示する例を示している。「ｓｈｉｆｔ」キーの長押し操作をユーザが行った場合に、表示制御部１０３は、第一入出力部１１０ａが表示している情報の一部または全部を第二入出力部１１０ｂに表示する。そして、表示制御部１０３の備える加工制御部１０１は、ユーザの行った「Ｓｈｉｆｔ」キーの長押し操作に基づいて、第一入出力部１１０ａに表示されている情報をソフトウェアキーボードの一部のキーからの入力を無効化する。ここで、ソフトウェアキーボードの一部のキーとは、例えば「Ｓｈｉｆｔ」キー、「Ｃｔｒｌ」キー、「矢印（↓、↑、←、→）」キーである。そして、加工制御部１０１は、「Ｓｈｉｆｔ」キー、「Ｃｔｒｌ」キー、「矢印」キーとともに、第一入出力部１１０ａに表示されている情報を第二入出力部１１０ｂに表示する。
このとき、加工制御部１０１は、第一入出力部１１０ａに表示されている情報を加工操作の対象外であることを示すグレーアウトで表示してもよいし、変更せずにそのまま表示してもよい。
【００１６】
図６〜図８は、本発明の一実施形態による情報処理装置１０の情報の加工時における入出力部１１０の表示例を示す図である。
図６は、加工操作開始指示の入力に基づいて、加工制御部１０１が第一入出力部１１０ａに表示されている情報である文字列を第二入出力部１１０ｂに表示した状態において、第二入出力部１１０ｂに表示中の文字列から加工する部分がユーザにより選択された場合に、その選択された加工する部分の近くに表示される加工メニューの例を示している。ユーザが指や「Ｓｈｉｆｔ」キー、「Ｃｔｒｌ」キー、「矢印」キーなどを使用して、例えば、第二入出力部１１０ｂに表示されている文字列の一部である「ＢＢＢＢ」を選択すると、表示制御部１０３は、選択された「ＢＢＢＢ」の近くに「コピー」、「カット」、「ペースト」の３つの加工メニューを第二入出力部１１０ｂに表示する。ユーザは、これらのメニューのうち１つを指などで選択することで、選択した加工メニューを容易に実行することができる。そして、ユーザが「コピー」を選択した場合、表示制御部１０３は、選択された「ＢＢＢＢ」を第二入出力部１１０ｂに表示したままの状態で、「ＢＢＢＢ」の情報を記憶部１１１に一時的に記録する。また、ユーザが「カット」を選択した場合、表示制御部１０３は、選択された「ＢＢＢＢ」を第一入出力部１１０ａと第二入出力部１１０ｂから削除し、「ＢＢＢＢ」の情報を記憶部１１１に一時的に記録する。
【００１７】
図７は、ユーザが上記図６で説明した「コピー」を選択した後に、貼り付け位置を指定し、その際に表示される加工メニューから「ペースト」を選択した場合の入出力部１１０の表示例を示している。ユーザが指などで貼り付け位置を指定すると、そこにカーソルが移動し、加工メニューとして「ペースト」が表示される。そして、ユーザが加工メニューの「ペースト」をタップするなどのユーザ操作により選択すると、記憶部１１１に記録されている「ＢＢＢＢ」を読み出し、その指定した貼り付け位置に読み出した「ＢＢＢＢ」を貼り付けることができる。
例えば、第二入出力部１１０ｂに表示されている文字列「ＣＣＣＣＣ。」の最後の文字の右側をユーザが指で２度タップする。すると、ユーザの２度タップした位置にカーソルが移動し、加工メニューとして「ペースト」が表示される。ここで、ユーザが「ペースト」を選択するとカーソル位置に「ＢＢＢＢ」が貼り付けられる。
【００１８】
図８は、ユーザが上記図７で説明した「ペースト」を選択した後に、貼り付けが確定した場合の入出力部１１０の表示例を示している。ユーザにより指定した貼り付け位置に「ＢＢＢＢ」が貼り付けられ、この第二入出力部１１０ｂで加工した情報が第一入出力部１１０ａの表示する情報に反映される。
【００１９】
図９は、本発明の一実施形態による情報処理装置１０の情報の加工状態から情報の入力状態に戻った場合の入出力部１１０の表示例を示す図である。
ユーザが、上記図８で説明した貼り付けが確定した状態において、例えば、第二入出力部１１０ｂに表示されている「Ｓｈｉｆｔ」キーを再度長押しする。すると、第二入出力部１１０ｂは操作入力機能により「Ｓｈｉｆｔ」キーの長押しを検出し、表示制御部１０３は、情報の加工状態から情報の入力状態に表示を切り替える。すなわち、表示制御部１０３は、第二入出力部に表示している加工対象である情報である文字列を削除し、ソフトウェアキーボードを表示する。
【００２０】
図１０は、本発明の一実施形態による情報処理装置１０の処理フローの例を示す図である。
ここでは、加工操作開始指示入力前において、第二入出力部１１０ｂの表示するソフトウェアキーボードに対してユーザが情報入力操作を行っているときに、既に入力された第一入出力部１１０ａに表示されている情報に対してコピー＆ペーストの加工を行う場合を例に本実施形態による情報処理装置１０の処理フローを説明する。
なお、情報処理装置１０の処理フローの初期は、加工操作開始指示入力前であり、情報処理装置１０の第一入出力部１１０ａは、第二入出力部１１０ｂに表示されているソフトウェアキーボードに対するユーザ操作により入力された情報を表示しているものとする。
【００２１】
まず、既にソフトウェアキーボードに対するユーザ操作により入力された第一入出力部１１０ａが表示している情報に対してコピー＆ペーストの加工を行うために、ユーザは、加工操作開始指示入力を示すソフトウェアキーボードの「Ｓｈｉｆｔ」キーを所定時間以上押下する。
すると、情報処理装置１０の第二入出力部１１０ｂは、自身の備えるタッチパネルなどの操作入力機能により、このユーザによる「Ｓｈｉｆｔ」キーの押下を検出し、その「Ｓｈｉｆｔ」キーが押下されている時間に応じて、情報入力部１０４に信号を出力する（ステップＳ１）。ここで、第二入出力部１１０ｂが情報入力部１０４に出力する信号は、例えば、「Ｓｈｉｆｔ」キーの押下されている間はＨｉｇｈを示す信号であり、「Ｓｈｉｆｔ」キーの押下されていない間はＬｏｗを示す信号である。そして、情報入力部１０４は、第二入出力部１１０ｂから「Ｓｈｉｆｔ」キーの押下されている時間に応じた信号を入力し、入力した信号に基づいて、ユーザにより「Ｓｈｉｆｔ」キーの押下が所定時間以上行われたか否か、すなわち、加工操作開始指示が入力されたか否かを判定する（ステップＳ２）。
ここで情報入力部１０４は、タイマを利用してＨｉｇｈを示す信号を入力した時間と、加工操作開始指示を示す所定のしきい値とを比較し、その大小関係に基づいて判定する。そして、情報入力部１０４は、Ｈｉｇｈを示す信号を入力した時間が所定のしきい値よりも長いときに、加工操作開始指示が入力されたと判定する（ステップＳ２、ＹＥＳ）。また、情報入力部１０４は、Ｈｉｇｈを示す信号を入力した時間が所定のしきい値よりも短いときには、加工操作開始指示は入力されていないと判定する（ステップＳ２、ＮＯ）。
【００２２】
なお、ステップＳ２の処理において情報入力部１０４が行う判定は、「Ｓｈｉｆｔ」キーの押下されている間は所定周期のパルス信号の繰り返しを示す信号で、「Ｓｈｉｆｔ」キーの押下されていない間はＬｏｗを示す信号を用いて行ってもよい。
この場合、情報入力部１０４は、カウンタを利用して所定周期のパルス信号の繰り返しを示す信号を入力した周期をカウントし、そのカウントした周期の示す時間と、加工操作開始指示を示す所定のしきい値とを比較し、その大小関係に基づいて加工操作開始指示が入力されたか否かを判定する。そして、情報入力部１０４は、カウントした周期の示す時間が所定のしきい値よりも長いときに、加工操作開始指示が入力されたと判定する（ステップＳ２、ＹＥＳ）。また、情報入力部１０４は、カウントした周期の示す時間が所定のしきい値よりも短いときには、加工操作開始指示は入力されていないと判定する（ステップＳ２、ＮＯ）。
【００２３】
このステップＳ２で、情報入力部１０４が加工操作開始指示は入力されていないと判定した場合（ステップＳ２、ＮＯ）、次の「Ｓｈｉｆｔ」キーの押下まで待機し、ステップＳ１の処理を再度行う。また、ステップＳ２で、加工操作開始指示が入力されたと情報入力部１０４が判定した場合、情報入力部１０４は、加工操作開始指示を検出したことを示す加工操作開始指示検出信号を表示制御部１０３に出力する（ステップＳ３）。
表示制御部１０３の備える加工制御部１０１は、情報入力部１０４から加工操作開始指示検出信号を入力すると、第一入出力部１１０ａに表示されている情報の一部または全部を第二入出力部１１０ｂに表示する（ステップＳ４）。また、情報入力部１０４の備えるキーボード制御部１０２は、第二入出力部１１０ｂの表示するソフトウェアキーボードの一部の機能（例えば、「Ｓｈｉｆｔ」キー、「Ｃｔｒｌ」キー、「矢印」キー）を除いたキーからの入力を無効化する制御を行う（ステップＳ５）。このとき、キーボード制御部１０２がキーからの入力を無効化する制御を行う対象となるソフトウェアキーボードのキーについては、表示制御部１０３が第二入出力部１１０ｂに表示したままであってもよいし、非表示としてもよい。
また、このとき、表示制御部１０３は、情報の加工とは直接関係がないことがわかるように第一入出力部１１０ａに表示している情報をグレーアウトしてもよいし、非表示としてもよし、変更せずにそのまま表示してもよい。このステップＳ５の処理により、情報処理装置１０は、ユーザ操作に応じて情報を加工できる状態になる。
【００２４】
ここでユーザは、第二入出力部１１０ｂに表示中の文字列から加工する部分を指などで指定して選択する。このユーザが行う選択は、例えば「Ｓｈｉｆｔ」キーを押下しながら２点をタップすることで行われ、そのタップした２点を対角とする四角形の領域に含まれる部分が加工する部分として選択される。すると、第二入出力部１１０ｂは、操作入力機能により検出した第二入出力部１１０ｂにおいてユーザがタップした座標を表示制御部１０３に出力する。表示制御部１０３は、第二入出力部１１０ｂから座標を入力すると、入力された座標を対角とする四角形の領域に含まれる加工対象となる情報を特定する（ステップＳ６）。このとき、表示制御部１０３は、特定した加工対象となる情報、すなわちユーザが選択した文字列の部分をユーザに報知するために、他の文字列の部分と色を変えたり背景色を変えたりするなど差別化した表示を行う。そして、表示制御部１０３は、特定した加工対象となる情報の近くに加工メニューを表示する（ステップＳ７）。ここで表示制御部１０３が表示する加工メニューは、例えば、「コピー」、「カット」、「ペースト」の３つの加工メニューである。
【００２５】
ユーザが３つの加工メニューから「コピー」をタップして選択すると、第二入出力部１１０ｂは、ユーザにタップされた表示領域上の座標を表示制御部１０３に出力する。表示制御部１０３は、第二入出力部１１０ｂからユーザのタップした座標を入力すると、入力された座標に対応する加工メニュー、すなわちユーザが選択した加工メニューを「コピー」であると特定する（ステップＳ８）。表示制御部１０３は、加工メニューが「コピー」であると特定すると、ステップＳ６で特定した加工対象となる情報を記憶部１１１に記録する（ステップＳ９）。
表示制御部１０３は、記憶部１１１に加工対象となる情報の記録を完了すると、加工メニューの表示を終了すると共に、加工対象となる情報の差別化した表示を終了する。この時点で表示制御部１０３の入出力部１１０に対する表示は、図４で示すような、加工メニューの「コピー」を実行する前に入出力部１１０が表示していた表示と同一である。
【００２６】
次にユーザは、ステップＳ９の処理で記憶部１１１に記録した「ＢＢＢＢ」を貼り付ける位置を特定する。例えば、図５で示したように、ユーザが第二入出力部１１０ｂに表示されている文字列「ＣＣＣＣＣ。」の最後の文字の右側を指で２度タップする。すると、第二入出力部１１０ｂは、操作入力機能により検出したユーザの２度タップした第二入出力部１１０ｂにおける座標を特定する（ステップＳ１０）。そして、第二入出力部１１０ｂは、その特定した座標を表示制御部１０３に出力する。すると、表示制御部１０３は、第二入出力部１１０ｂにおいて特定した座標に最も近い表示位置にカーソルを移動する（ステップＳ１１）。そして、表示制御部１０３は、第二入出力部１１０ｂにおいて表示しているそのカーソルの近くに加工メニューとして「ペースト」を表示する（ステップＳ１２）。そして、ユーザが表示された加工メニューの「ペースト」をタップして選択すると、第二入出力部１１０ｂはそのタップを検出し、その検出したタップされた位置の示す第二入出力部１１０ｂにおける座標を特定する（ステップＳ１３）。そして、第二入出力部１１０ｂは、特定した座標を表示制御部１０３に出力する。表示制御部１０３は、第二入出力部１１０ｂから座標を入力し、入力した座標と現在第二入出力部１１０ｂに表示中の情報とから、入力した座標に対応する加工メニューを特定する（ステップＳ１４）。この例では、表示制御部１０３は、入力した座標に対応する加工メニューが「ペースト」であると特定する。表示制御部１０３は、加工メニューが「ペースト」であると特定すると、それに応じて記憶部１１１に記録されている情報「ＢＢＢＢ」を読み出す（ステップＳ１５）。そして、表示制御部１０３は、ステップＳ１２でユーザが２度タップした座標に最も近いカーソル位置に［ＢＢＢＢ］を貼り付ける（ステップＳ１６）。このとき、表示制御部１０３は、第二入出力部１１０ｂで加工した情報を第一入出力部１１０ａの表示する情報に反映する（ステップＳ１７）。
【００２７】
そして、ユーザは、必要な情報の加工を終了すると、例えば、「Ｓｈｉｆｔ」キーを長押しする。すると、第二入出力部１１０ｂは操作入力機能により「Ｓｈｉｆｔ」キーが長押しされたことを検出する。第二入出力部１１０ｂは、「Ｓｈｉｆｔ」キーが長押しされたことを検出すると、この「Ｓｈｉｆｔ」キーの長押しを検出したことを示す信号を表示制御部１０３に出力する。表示制御部１０３は、「Ｓｈｉｆｔ」キーの長押しを検出した信号を入力すると、その信号に応じて、情報の加工状態から情報の入力状態に表示を切り替える（ステップＳ１８）。このとき、情報処理装置１０の第二入出力部１１０ｂはソフトウェアキーボードを表示し、操作入力機能によりユーザの情報入力を受け入れる状態であり、ユーザにより情報が入力されると、表示制御部１０３は、入力された情報を第一入出力部１１０ａに表示する。
【００２８】
なお、本実施形態において、情報の加工する部分の選択は、第二入出力部１１０ｂのタッチパネルなどの操作入力機能を用いてユーザが指などで選択するものとしたが、ソフトウェアキーボードに対するユーザ操作に基づいて情報の加工する部分を選択してもよい。
また、本実施形態において、加工制御部１０１は、「Ｓｈｉｆｔ」キーが長押しされた場合に操作入力指示を入力するものとしたが、情報処理装置１０の第一筐体１１と第二筐体１２の状態が、「開状態」から「閉状態」に変化した場合に加工操作開始指示を入力するものとしてもよい。例えば、情報処理装置１０のヒンジ部材２１に角度検出部を設け、第一筐体１１と第二筐体１２の開閉角度が１２０°を超えた場合に「開状態」、１２０°以下の場合に「閉状態」とする。そして、ユーザが情報処理装置１０の第一筐体１１と第二筐体１２の状態が「開状態」においてソフトウェアキーボードを用いて情報を入力し、情報を加工する際に、ユーザが情報処理装置１０の第一筐体１１と第二筐体１２の状態が「閉状態」となるようにヒンジ部材２１を軸として折りたたむことで、ステップＳ４の処理に移行すればよい。こうすることで、ユーザがヒンジ部材２１を軸として情報処理装置１０を折りたたんだ際に、即座に加工データが表示され、情報の加工を行う際の操作性が向上する。
また、本実施形態による情報処理装置１０の第二入出力部１１０ｂが、ステップＳ４の処理において第一入出力部１１０ａに表示されている情報のうちどの情報を表示するかは、ユーザが指定してもよい。例えば、ユーザが、第一入出力部１１０ａに表示されている情報を加工したい場合に、表示されている情報の最初と最後の箇所をそれぞれタップして決定する。また、例えば、ソフトウェアキーボードに対してユーザが操作し、第一入出力部１１０ａのカーソルを移動してカーソル位置を指定し、指定したカーソル位置の前後１００文字分を第二入出力部１１０ｂが表示するように事前に設定しておいてもよく、情報の加工に必要な操作が行える範囲において、第一入出力部１１０ａに表示されている情報のどの部分を第二入出力部１１０ｂに表示してもよい。
なお、第一入出力部１１０ａに対して直接ユーザが入力を行わない場合、第一入出力部１１０ａはタッチパネルなどの操作入力機能を有する必要はない。すなわち、第一入出力部１１０ａは、入出力部ではなく、単なる出力部であってもよい。
【００２９】
図１１は、本発明の一実施形態による情報処理装置１０の第一入出力部１１０ａと第二入出力部１１０ｂの表示する表示領域の他の例を示す図である。
この図で示すように、例えば、ソフトウェアキーボードから文字を入力する状況において、入力された文字情報が表示される上述した第一表示領域は、第一入出力部１１０ａの領域全体と、第二入出力部１１０ｂの一部の領域とで構成され、ソフトウェアキーボードから文字を入力する状況において、ソフトウェアキーボードが表示される第二表示領域は、第一表示領域に含まれない第二入出力部１１０ｂの他の領域で構成されるようにしてもよい。
【００３０】
以上、本発明の一実施形態による情報処理装置１０の処理フローについて説明した。上述の情報処理装置１０の処理によれば、第一表示領域に表示されている情報に対する加工操作開始指示の入力に基づいて、第一表示領域に表示されている情報を第二表示領域に表示することができ、加工する情報を表示する表示領域と、ソフトウェアキーボードを表示しタッチパネルなどの操作入力機能を有するユーザ操作の対象である表示領域とを近くに表示することで、情報処理装置１０の表示領域に表示されている情報を操作性よく容易に加工できる。
【００３１】
なお本発明の一実施形態について説明したが、上述の情報処理装置１０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３２】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３３】
１０・・・情報処理装置
１１・・・第一筐体
１２・・・第二筐体
２１・・・ヒンジ部材
１０１・・・加工制御部
１０２・・・キーボード制御部
１０３・・・表示制御部
１０４・・・情報入力部
１１０・・・入出力部
１１０ａ・・・第一入出力部
１１０ｂ・・・第二入出力部
１１１・・・記憶部
【図１】
2014235630.tif 000003
【図２】
2014235630.tif 000004
【図３】
2014235630.tif 000005
【図４】
2014235630.tif 000006
【図５】
2014235630.tif 000007
【図６】
2014235630.tif 000008
【図７】
2014235630.tif 000009
【図８】
2014235630.tif 000010
【図９】
2014235630.tif 000011
【図１０】
2014235630.tif 000012
【図１１】
2014235630.tif 000013